(57)【特許請求の範囲】
【請求項１】
作業櫓のガイドに取付けて昇降自在に吊下した回転駆動装置と、スクリューを有するオーガーシャフトの下端に掘削シャフトを連結し、上端を回転駆動装置の駆動軸に連結して、回転駆動装置と共に作業櫓の側面に垂設したアースオーガーと、そのアースオーガーを回転自在に挿通支持する作業櫓側の振止部材とからなり、上記回転駆動装置内にアースオーガーの電動モータを冷却する冷却ファンを備えたアースオーガー装置において、
上記冷却ファンをアースオーガーの電動モータとは別個の電動モータにより低速回転して、冷却ファンによる騒音を低減し、上記振止部材のアースオーガーの挿通支持部に、スクリュー周縁と接してアースオーガーの横振れを阻止する所要数の縦長の硬質ローラを設け、そのローラにより横振れによる騒音を低減するとともに、振止部材を防音カバーにより被覆してなることを特徴とする低騒音アースオーガー装置。
【発明の詳細な説明】
【０００１】
【発明の属する技術分野】
この発明は、軟弱地盤等の地盤改良や地中コンクリート杭の打設などに使用される低騒音のアースオーガー装置に関するものである。
【０００２】
これまでのアースオーガー装置に採用されている回転駆動装置では、アースオーガーの電動モータを空冷する冷却ファンを、電動モータに延設した回転軸に取付け、その電動モーターによりアースオーガーと冷却ファンとを同時に回転して電動モータへの空気の送風を行っていた。
【０００３】
冷却ファンとしては電動モータを空冷する必要な空気量を送風すれば済むのであるが、電動モータの共用から冷却ファンは、その目的以上に不用にしかも高速回転され、それにより生ずる冷却ファンの風を切る音が防音カバーを二重に施しても大きな騒音となっている。また掘削作業中の回転トルクによるアースオーガーの横振れを、アースオーガーの途中と下部とで支持して回転が円滑に行えるようにしているが、その支持は振止部材にアースオーガーを挿通しているだけでクリアランスがあるため、このクリアランスによりスクリューが振止部材に当たって騒音を発している。
【０００４】
これらのアースオーガー装置から生ずる騒音は、住宅から遠く離れた施工現場では特に問題視されないが、住宅に接近した現場では制限を上回るほどの騒音となり、このため低騒音のアースオーガー装置の開発が望まれていた。
【０００５】
この発明は上記事情から考えられたものであって、その目的は、これまでのアースオーガー装置を大幅に改良することなく、冷却ファンをアースオーガーの電動モータから分離し、またアースオーガーの支持をクリアランスなく行うことによって騒音を著しく低減することができる新たな低騒音アースオーガー装置を提供することにある。
【０００６】
【課題を解決するための手段】
上記目的によるこの発明は、作業櫓のガイドに取付けて昇降自在に吊下した回転駆動装置と、スクリューを有するオーガーシャフトの下端に掘削シャフトを連結し、上端を回転駆動装置の駆動軸に連結して、回転駆動装置と共に作業櫓の側面に垂設したアースオーガーと、そのアースオーガーを回転自在に挿通支持する作業櫓側の振止部材とからなり、上記回転駆動装置内にアースオーガーの電動モータを冷却する冷却ファンを備えたアースオーガー装置において、上記冷却ファンをアースオーガーの電動モータとは別個の電動モータにより低速回転して、冷却ファンによる騒音を低減し、上記振止部材のアースオーガーの挿通支持部に、スクリュー周縁と接してアースオーガーの横振れを阻止する所要数の縦長の硬質ローラを設け、そのローラにより横振れによる騒音を低減するとともに、振止部材を防音カバーにより被覆してなる、というものである。
【０００７】
【発明の実施の形態】
図１は、地盤改良に使用される通常構造のアースオーガー装置で、クローラ１の前部にステー２により支持して立設し作業櫓３に、一対のアースオーガー４が上部の回転駆動装置５と共に取付けてある。
【０００８】
上記アースオーガー４は、スクリュー６を外周囲に有する中空のオーガーシャフト７と、その下端に連結した掘削シャフト８とからなる。また回転駆動装置４は背面上下に設けた内向きのホルダー９を、作業櫓３の両側のガイドロッド１０に嵌合して、作業櫓３の前面に昇降自在に吊り設けてあり、その回転駆動装置５の駆動軸５ａにオーガーシャフト７の上端を連結し、さらにアースオーガー５の途中と下端部とを、ガイドロッド１０に取付けて作業櫓側に設けた振止部材１１，１２に挿通支持して、回転駆動装置５と共にアースオーガー４が昇降移動するよう垂設してある。
【０００９】
上記回転駆動装置５は、図２に示すように、内外二重の防音カバー１３，１４により囲った内部に、変速機付きの電動モータ１５をギアボックス１６の上に縦に設けて備え、そのギアボックス１６の下側に上記駆動軸５ａが位置している。また電動モータ１５の上部は仕切られて空気取入口１７に区画され、その空気取入口に連なる室内に冷却ファン１８が下向きに専用の電動モータ１９と共に取付けてある。
【００１０】
これにより回転駆動用の電動モータ１５と冷却ファン１８の電動モータ１９とを別個に回転作動できるので、冷却ファン１８の回転速度をアースオーガー４の回転速度よりも低速にして、上方から電動モータ１５の周囲に空気を送風することができ、空気は電動モータ１５を冷却したのち、矢印に示すコースを通って排出される。また冷却ファン１８の回転による騒音も低減する。
【００１１】
上記振止部材１１，１２は、図３及び図４に示すように、横長長方形のフレーム２０の背面に対設した内向きのホルダー２１を備え、そのホルダー２１を上記ガイドロッド１０に、途中の振止部材１１は昇降自在に、下端の振止部材１１は固定状態に、それぞれ嵌合して取付けてある。
【００１２】
またフレーム２０内のアースオーガー５の挿通支持部には、スクリュー６の周縁と接してアースオーガー５を回転自在に支持する硬質樹脂又は鉄等による４本の硬質ローラ２２，２２が、上下端をフレーム２０の上下面に止着した支持板２３，２３に軸承して縦長に設けてあり、その硬質ローラ２２，２２によりアースオーガー５の掘削作業中の横振れによる騒音を低減できるようにしてある。さらに振止部材１１，１２は防音カバー２４に被覆してある。
【００１３】
このように、アースオーガー５の回転駆動用の電動モータ１５と冷却ファン１８の電動モータ１９とを別個にして、冷却ファン１８をアースオーガー４の回転速度に関係なく回転できるこの発明では、電動モータ１５の冷却に必要な空気量を送風する程度の回転速度で済み、必然的に回転速度は低速度となるので、冷却ファン１８が風を切る音も低くなって、騒音が従来に比べて著しく低減するようになる。
【００１４】
また掘削作業中のアースオーガーの横振れを、縦長の硬質ローラによりスクリュー周縁を支持して防止し、横振れによる騒音を低減したうえで、さらに防音カバーにより振止部材を被覆したことから、振止部材における騒音が著しく低減し、これが冷却ファンの低速回転とによる騒音の低減とが相俟って、掘削作業中の騒音が一段と低減されるようになり、住宅に接近した地域での地盤改良や削孔を騒音公害を起こすことなく施工することが可能となる。
【００１５】
構造的にも冷却ファンの電動モータを別に設け、振止部材に支持用のローラを縦長に設けるだけでよいから簡単に済み、既存のアースオーガー装置にも直ちに応用して騒音防止に役立て得るなどの利点を有する。
【図面の簡単な説明】
【図１】  この発明が対象とするアースオーガー装置の側面図である。
【図２】  この発明に係わる低騒音アースオーガー装置の回転駆動装置の説明図である。
【図３】  同じく振止部材の平面図である。
【図４】  同上の側面図である。
【符号の説明】
１    クローラ
３    作業櫓
４    アースオーガー
６    スクリュー
７    カーがーシャフト
８    掘削ロッド
１０    ガイドロッド
１１，１２  振止部材
１３，１４  内外カバー
１５    回転駆動用の電動モータ
１７    空気取入口
１８    冷却ファン
１９    冷却ファンの電動モータ
２０    振止部材のフレーム
２２    硬質ローラ
２４    防音カバー
【図１】
0003804508.tif 000002
【図２】
0003804508.tif 000003
【図３】
0003804508.tif 000004
【図４】
0003804508.tif 000005